(57)【要約】【課題】マッサージ球体の接触抵抗が著しく少なくて軽快に回転することができ、しかもいつでも簡単に分解したり組み立てることができる。【解決手段】分解及び組み立てが可能な基体枠部材２に、マッサージ球体３及び支持球体４を着脱可能に装着し、基体枠部材２にマッサージ球体３を装着した状態では前記マッサージ球体３を支持球体２によって接触抵抗が発生しないように点接触状に保持するとともに、マッサージ球体３の一部を基体枠部材２の表面から外部に突出させてなる。【選択図】  図２
2004321504.tif 000002
【特許請求の範囲】
【請求項１】
分解及び組み立てが可能な基体枠部材に、マッサージ球体及び支持球体を着脱可能に装着し、基体枠部材にマッサージ球体を装着した状態では前記マッサージ球体を支持球体によって接触抵抗が発生しないように点接触状に保持するとともに、マッサージ球体の一部を基体枠部材の表面から外部に突出させてなることを特徴とする全面ローリングによる手動式マッサージ器。
【発明の詳細な説明】
【０００１】
【発明の属する技術分野】
本発明は、人体の足裏、手、肩、頭部、腰などの各部位に、強さを自由に調節して刺激を与えることができる全面ローリングによる手動式マッサージ器に関するものである。
【０００２】
【従来の技術】
球体を使用した携帯用の手動式マッサージ器としては、円形の開口部と、その開口部から半球状に窪んだ空洞部を有する容器と、開口部の内径より小さい外径を有する主ボールと、その主ボールを空洞部で回転可能に支持するために主ボールと空洞部の内壁との間に挿入される複数の補助ボールと、支持された主ボールの一部を露出させる窓を有して開口部を閉じる蓋とからなる構成のものが知られている。（特許文献１参照）
【０００３】
【特許文献１】
特開２００３−１０２７１
【０００４】
【発明が解決しようとする課題】
しかし、従来の前記手動式マッサージ器は、分解したり組み立てることができないので、容器の内部に塵埃などが入り込むと主ボールの回転抵抗が大きくなって回りにくくなることがある。また、前記した主ボールが多数の補助ボールで支持されているので回転が不安定であり、身体の部位に押圧してもマッサージ効果が少ない。
したがって、本発明は前記従来の欠点に鑑み提案されたもので、その目的とするところは、マッサージ球体の接触抵抗が著しく少なくて軽快に回転することができ、しかもいつでも簡単に分解したり組み立てることができるのでマッサージ球体の回転に障害が発生しないようにしたことにある。
【０００５】
【課題を解決するための手段】
前記目的達成のため、本発明の全面ローリングによる手動式マッサージ器は、分解及び組み立てが可能な基体枠部材に、マッサージ球体及び支持球体を着脱可能に装着し、基体枠部材にマッサージ球体を装着した状態では前記マッサージ球体を支持球体によって接触抵抗が発生しないように点接触状に保持するとともに、マッサージ球体の一部を基体枠部材の表面から外部に突出させてなることを特徴とするものである。
【０００６】
【発明の実施の形態】
以下に本発明を図面に示す実施の態様に基づいて説明する。
図１は本発明の第１実施例の一部を切断した平面図、図２は図１のＡ−Ａ線の断面図、図３は本発明の第２実施例の平面図、図４は図３のＢ−Ｂ線の断面図、図５は本発明の第３実施例の一部を切断した平面図、図６は図５のＣ−Ｃ線の断面図、図７は本発明の第３実施例の分解状態の斜視図である。
【０００７】
本発明の手動式マッサージ器１は、基体枠部材２の内部にマッサージ球体３を回転自在に収納し、前記マッサージ球体３を基体枠部材２の内部に設けた支持球体４で点接触状に支えて接触抵抗がほとんど発生しないようにしたものである。
【０００８】
図１、２の実施例によれば、前記基体枠部材２は、最も下に位置する板状の第１基体枠部材２１と、前記第１基体枠部材２１から上方に向かって重合する板状の第２基体枠部材２２、第３基体枠部材２３、最も上方に位置する第４基体枠部材２４とからなり、各基体枠部材２１、２２、２３、２４は、フック面とループ面とからなる面ファスナー、係脱可能な留め具、凹凸部などによって簡単に分離したり組み立てることができる。
【０００９】
そして、第１基体枠部材２１、第２基体枠部材２２及び第３基体枠部材２３の左右の側縁上面には直立する凸状部５を設けるとともに、第２基体枠部材２２、第３基体枠体２３及び第４基体枠部材２４の各側縁下面には、前記凸状部５に係止する係合部６を設け、それぞれ凸状部５を係合部６にきつく嵌合したり外すことで各基体枠部材２１、２２、２３、２４を分離したり組み立てることができる。
【００１０】
なお、各基体枠部材２１、２２、２３、２４は、相互に接触する部分の何れか一方に小半球状の凸部を、他方に前記凸部に係脱する凹部を設けることにより、組み立て状態では左右に簡単に分解できないが、強く引くことにより凸部と凹部とが外れて左右に移動することができる構成にしてもよい。
【００１１】
前記第３基体枠部材２３はマッサージ球体３の半径とほぼ同一の厚さで、第３基体枠部材２３及び第４基体枠部材２４には、前記マッサージ球体３より僅かに大径な第１収納空部２５を形成するとともに、第１基体枠部材２１及び第２基体枠部材２２には、前記支持球体４を収納する第２収納空部２６を形成し、第１収納空部２５の底部に第２収納空部２６の上部を開口させ、また第１収納空部２５の上部を第４基体枠部材２４の表面に開口させる。
【００１２】
そして、第２収納空部２６の底部には、支持球体４を点接触状に支える突起部２７を隆設するとともに、上縁には第１ストッパー２８を内向きの鍔状に延設して支持球体４が不規則に移動したり飛び出すのを防止する。
【００１３】
前記第４基体枠部材２４の表面には、第１収納空部２５の開口周縁を囲むようにして環状の第２ストッパー２９を隆設する。前記第２ストッパー２９の上縁部３０は、マッサージ球体３の中心より上方に位置させ、しかもマッサージ球体３の径より僅かに大径にして点接触する程度にする。
尚、マッサージ球体３の表面には小さな窪み状のディンプル３１が多数形成されているが、マッサージ効果を高めるために、前記ディンプル３１程度の寸法の小突起を多数突設するようにして成形してもよい。また、前記マッサージ球体３は、合成樹脂、合成ゴム等の原材料によって成形するが、原材料に遠赤外線が放射したりマイナスイオンが発生する粉粒状の組成物や、香気が発生する香料などの微粉状の組成物を混合して成形すると、使用時に遠赤外線やマイナスイオンが発生するので、マッサージ効果以外の効果を期待することができるばかりでなく、香気を発生させることができる。
また、第１基体枠部材２１の下面には、ゴム板、吸着板、粘着板等からなる滑り止め板７を設け、使用時に床などに置いた状態で安定させる。
【００１４】
前記した構成による本発明に係る手動式マッサージ器１は、各基体枠部材２１、２２、２３、２４が分解したり組み立てることができる。したがって、各基体枠部材２１、２２、２３、２４が分解した状態において、第１基体枠部材２１の第２収納空部２６に支持球体４を装着し、第１基体枠部材２１の表面に第２基体枠部材２２を被着して支持球体４を第１ストッパー２８で抜け出ないように支持するとともに突起部２７で点状に支持する。
【００１５】
次に第２基体枠部材２２の表面に第３基体枠部材２３を被着し、第３基体枠部材２３に形成されている第１収納空部２５にマッサージ球体３を装着し、その第３基体枠部材２３の表面に第４基体枠部材２４を被着して固定すると、第２ストッパー２９がマッサージ球体３を回転自在に支持して、抜け出るのを防止することができる。
【００１６】
したがって、上記組み立て状態ではマッサージ球体３が第４基体枠部材２４の表面に突出しているし、マッサージ球体３が支持球体４で点状に支持されているので、自由に回転することができるので、人体の足裏、脹ら脛、手、肩、頭部、腰、背中などあらゆる部位にあてがって、適度の力で押圧して往復移動することにより、マッサージ効果を高めることができる。
【００１７】
そして、第１収納空部２５、第２収納空部２６の内部に塵埃などが溜まってマッサージ球体３の回転が鈍くなったら、各基体枠部材２１、２２、２３、２４を分解してマッサージ球体３及び支持球体４を取り出し、各基体枠部材２１、２２、２３、２４の内部を清掃してから再度組み立てると、マッサージ球体３が無理なくきわめて軽快に回転することができ、使用によってマッサージ効果を高めることができる。
【００１８】
図３、４に示す本発明の第２実施例は、第２収納空部２６を、マッサージ球体３を中心にして等間隔（１２０度）で３カ所に設け、各第２収納空部２６に支持球体４を収納して３カ所でマッサージ球体３を支持するようにした構成である。
したがって、マッサージ球体３を安定して支持することができるし、特にマッサージ球体３の回転が悪くなることがないので、実用的価値の高いものとなる。
尚、図３、図４において、説明していない符号は前記第１実施例の同一符号と同一の構成であるから、詳細な説明を省略する。
【００１９】
図５、６、７に示す本発明の第３実施例は、基体枠部材２として、板状の底枠体４１と、前記底枠体４１に対して簡単に分離したり組み立てることができるカバー枠体４２とからなり、カバー枠体４２の内部に接触抵抗がきわめて少なくて軽快に回転することができるマッサージ球体３を収納した構成である。
【００２０】
前記底枠体４１は薄板状の円盤材で、カバー枠体４２の底部を閉塞する第１の底部４１１と、前記第１の底部４１１の表面に同心状に設けてあってカバー枠体４２の内径に等しい径の第２の底部４１２とを有し、前記第２の底部４１２の表面中央には円柱状の低い凸部４３を隆設してあり、前記凸部４３の上面に緩い弧状の窪み部４４を形成する。また、前記底枠体４１の第２の底部４１２の外縁には、複数個の爪片４５を延長するように設ける。
図面の実施例では爪片４５が径方向に対向させて２個設けてあるが、１２０度の等間隔で３個、または９０度の等間隔で４個設けてもよい。
【００２１】
前記カバー枠体４２は上下面が開放する筒状で、内径が前記マッサージ球体３の径より僅かに長い。そして、前記カバー枠体４２の開放する上縁内側には、内鍔状の第３ストッパー４６を環状に設け、また開放する下縁には前記爪片４５が係脱する鉤状の係止部４７を、爪片４５の位置と数に対応させて形成する。
【００２２】
前記係止部４７は、下端が開放して前記爪片４５が下から嵌合する第１の溝部分４８と、前記第１の溝部分４８の上端から横に向いて爪片４５が嵌入する第２の溝部分４９とを有し、底枠体４１をカバー枠体４２の開放する底部にあてがい、各爪片４５を各係止部４７に臨ませて第１の溝部分４８に嵌合させ、底枠体４１を回転させて爪片４５を第２の溝部分４９に嵌入させると、底枠体４１はカバー枠体４２に固定される。そして、底枠体４１を逆方向に回転すると、爪片４５が第２の溝部分４９から第１の溝部分４８に移動するので、爪片４５を第１の溝部分４８から外すことによって底枠体４１をカバー枠体４２の底部から外すことができる。
【００２３】
そして、底枠体４１によってカバー枠体４２の底部を閉塞した状態においては、図６で示すように、カバー枠体４２の内面下方と凸部４３の側面との間に環状溝５０が形成されるので、前記環状溝５０の内部に複数個の支持球体４を収納し、前記支持球体４によってマッサージ球体３を点接触状に支える。
【００２４】
さらに具体的には、カバー枠体４２を天地逆にして下端の開口部からマッサージ球体３及び複数の支持球体４を収納した後、前記したように爪片４５を第２の溝部分４９にまで嵌入させて底枠体４１でカバー枠体４２の開口部を閉塞することにより、組み立てることができる。
【００２５】
そして、この組み立て状態においては、マッサージ球体３の下方部分が複数の支持球体４で支持されて凸部４３に接触しないし、各支持球体４は環状溝５０の内部で自由に回転することができるので、マッサージ球体３もほとんど接触抵抗が発生することなく、自由に回転することができる。
したがって、カバー枠体４２の上方に突出するマッサージ球体３の一部分を人体の必要部位に押圧して回転させることにより、マッサージ効果を高めることができる。
【００２６】
そして、カバー枠体４２の内部が汚損したり塵埃が流入してマッサージ球体３の回転状態が低下すると、前記したように底枠体４１を逆方向に回転して爪片４５を第２の溝部分４９から第１の溝部分４８に移動させ、爪片４５を第１の溝部分４８から外すことによって底枠体４１をカバー枠体４２の底部から外し、支持球体４やマッサージ球体３、及びカバー枠体４２の内面を清掃すればよい。
そして、本発明の手動式マッサージ器を図５、６、７の様な構成にすることにより、支持球体４とマッサージ球体３との中心位置が上下に一直線状にならないので高さを低くすることができ、携帯に有効であるばかりでなく、使用時にも安定することになる。
【００２７】
以上本発明を図面に示す実施例に基づいて説明したが、本発明は前記実施例に限定されるものではなく、特許請求の範囲に記載の範囲内において自由に実施できるものである。例えば、各基体枠部材の係脱機能は設計上どのようにでも提案できる。また、第２基体枠部材と第３基体枠部材とを一体にすることもできるし、第２ストッパーを第４基体枠部材と別に成形することもできる。
【００２８】
【発明の効果】
以上要するに、本発明は分解及び組み立てが可能な基体枠部材に、マッサージ球体及び支持球体を着脱可能に装着し、基体枠部材にマッサージ球体を装着した状態では前記マッサージ球体を支持球体によって接触抵抗がほとんど発生しないように保持するとともに、マッサージ球体の一部を基体枠部材の表面から外部に突出させてなることを特徴とする。
【００２９】
したがって、マッサージ球体がきわめてスムーズに回転できるので、人体の各部位を部分的に刺激を与えてマッサージ効果を高めることができる。そして、分解可能であるから、マッサージ球体を取り出して内部の塵埃などを取り除くことができ、またきわめて軽量でコンパクトであるから、携帯に便利であって、例えば車中において足裏、腕などを押圧マッサージすることができる等、実用的価値の高いものとなる。
【図面の簡単な説明】
【図１】第１実施例の一部を切断した平面図である。
【図２】図１のＡ−Ａ線の断面図である。
【図３】本発明の第２実施例の平面図である。
【図４】図３のＢ−Ｂ線の断面図である。
【図５】本発明の第３実施例の一部を切断した平面図である。
【図６】図５のＣ−Ｃ線の断面図である。
【図７】本発明の第３実施例の分解状態の斜視図である。
【符号の説明】
１  手動式マッサージ器
２  基体枠部材
３  マッサージ球体
４  支持球体
５  凸状部
６  係合部
７  滑り止め板
２１  第１基体枠部材
２２  第２基体枠部材
２３  第３基体枠部材
２４  第４基体枠部材
２５  第１収納空部
２６  第２収納空部
２７  突起部
２８  第１ストッパー
２９  第２ストッパー
３１  ディンプル
４１  底枠体
４２  カバー枠体
４３  凸部
４４  窪み部
４５  爪片
４６  第３ストッパー
４７  係止部
４８  第１の溝部分
４９  第２の溝部分
５０  環状部
【図１】
2004321504.tif 000003
【図２】
2004321504.tif 000004
【図３】
2004321504.tif 000005
【図４】
2004321504.tif 000006
【図５】
2004321504.tif 000007
【図６】
2004321504.tif 000008
【図７】
2004321504.tif 000009